【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
下記式（Ｉ）：
2010215886.tif 000001
〔式（Ｉ）中、Ａｒ1は、アリーレン基、２価の複素環基又は２価の芳香族アミンを表す。Ｊ1及びＪ2はそれぞれ独立に、直接結合、アルキレン基又はフェニレン基を表し、Ｘ1は酸素原子又は硫黄原子を表す。ｉは０〜３の整数であり、ｊは０又は１であり、ｍは１又は２である。Ｒ1は、水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、カルバモイル基、酸イミド基、１価の複素環基、カルボキシル基、置換カルボキシル基、シアノ基又はニトロ基を表す。複数存在するＲ1は、同一であっても異なっていてもよい。Ｊ1、Ｊ2、Ｘ1、ｉ及びｊが複数存在する場合、それらは、各々、同一であっても異なっていてもよい。〕
で示される繰り返し単位、及び下記式（ＩＩ）：
2010215886.tif 000002
〔式（ＩＩ）中、Ａｒ2は、フルオレン−ジイル基を表す。Ｊ3及びＪ4はそれぞれ独立に、直接結合、アルキレン基又はフェニレン基を表し、Ｘ2は酸素原子又は硫黄原子を表す。ｋは０〜３の整数であり、ｌは０又は１であり、ｎは１又は２である。Ｊ3、Ｊ4、Ｘ2、ｋ及びｌが複数存在する場合、それらは、各々、同一であっても異なっていてもよい。
〕
で示される繰り返し単位を含む高分子化合物。
【請求項２】
上記式（Ｉ）において、Ａｒ1がフルオレン−ジイル基である請求項１に記載の高分子化合物。
【請求項３】
上記式（Ｉ）において、ｉ及びｊが０である請求項１又は２に記載の高分子化合物。
【請求項４】
上記式（Ｉ）で示される繰り返し単位が、下記式（III）：
2010215886.tif 000003
〔式（III）中、Ｊ2、Ｒ1及びｍは、上記と同じ意味を有する。Ｒ2は、アルキル基、アリール基、アリールアルキル基又はアリールアルコキシ基を表す。〕
で示される繰り返し単位である請求項１〜３のいずれか一項に記載の高分子化合物。
【請求項５】
ｍが２である請求項１〜４のいずれか一項に記載の高分子化合物。
【請求項６】
Ｊ2がアルキレン基である請求項１〜５のいずれか一項に記載の高分子化合物。
【請求項７】
上記式（ＩＩ）において、ｋ及びｌが０である請求項１〜３のいずれか一項に記載の高分子化合物。
【請求項８】
上記式（ＩＩ）で示される繰り返し単位が、下記式（IV）：
2010215886.tif 000004
〔式（IV）中、Ｊ4及びｎは上記と同じ意味を有する。Ｒ3はアルキル基、アリール基、アリールアルキル基又はアリールアルコキシ基を表す。〕
で示される繰り返し単位である請求項１〜７のいずれか一項に記載の高分子化合物。
【請求項９】
ｎが２である請求項１〜８のいずれか一項に記載の高分子化合物。
【請求項１０】
Ｊ4が直接結合又はアルキレン基である請求項１〜９のいずれか一項に記載の高分子化合物。
【請求項１１】
ポリスチレン換算の数平均分子量が１×１０3〜１×１０8である請求項１〜１０のいずれか一項に記載の高分子化合物。
【請求項１２】
請求項１〜１１のいずれか一項に記載の高分子化合物を含有する組成物。
【請求項１３】
請求項１〜１１のいずれか一項に記載の高分子化合物と溶媒とを含有する液状組成物。
【請求項１４】
請求項１〜１１のいずれか一項に記載の高分子化合物を含有する薄膜。
【請求項１５】
請求項１３に記載の液状組成物を、スピンコート法、キャスティング法、マイクログラビアコート法、グラビアコート法、バーコート法、ロールコート法、ワイアーバーコート法、ディップコート法、スリットコート法、キャップコート法、キャピラリコート法、スプレーコート法、スクリーン印刷法、フレキソ印刷法、オフセット印刷法、インクジェットプリント法またはノズルコート法により成膜する工程を含む、請求項１４に記載の薄膜の製造方法。
【請求項１６】
請求項１〜１１のいずれか一項に記載の高分子化合物を架橋してなる薄膜。
【請求項１７】
請求項１４に記載の薄膜を、５０℃以上に加熱することで硬化させる工程を含む、請求項１６に記載の薄膜の製造方法。
【請求項１８】
陽極及び陰極からなる電極と、該電極間に設けられ請求項１〜１１のいずれか一項に記載の高分子化合物を含む発光層及び／又は該電極間に設けられ請求項１〜１１のいずれか一項に記載の高分子化合物を含む電荷輸送層とを有する発光素子。
【請求項１９】
陽極及び陰極からなる電極と、該電極間に設けられ請求項１〜１１のいずれか一項に記載の高分子化合物を架橋してなる発光層及び／又は該電極間に設けられ請求項１〜１１のいずれか一項に記載の高分子化合物を架橋してなる電荷輸送層とを有する発光素子。
【請求項２０】
ガラス基板、プラスチック基板、高分子フィルム基板またはシリコン基板の上に形成された、請求項１８または１９に記載の発光素子。
【請求項２１】
請求項１８〜２０のいずれか一項に記載の発光素子を備えた面状光源。
【請求項２２】
請求項１８〜２０のいずれか一項に記載の発光素子を備えた表示装置。
【請求項２３】
請求項１〜１１のいずれか一項に記載の高分子化合物を用いてなる有機トランジスタ。
【請求項２４】
請求項１〜１１のいずれか一項に記載の高分子化合物を用いてなる有機光電変換素子。
【請求項２５】
下記式（XII）：
2010215886.tif 000005
〔式（XII）中、Ｘはハロゲン原子、アルキルスルホネート基、アリールスルホネート基、アリールアルキルスルホネート基、ホウ酸残基又はホウ酸エステル残基を表し、ｏは４〜１０の整数である。２個存在するｏは、同一であっても異なっていてもよい。２個存在するＸは、同一であっても異なっていてもよい。〕
で示される化合物。
【請求項２６】
上記式（XII）中、Ｘがハロゲン原子である請求項２５に記載の化合物。
【請求項２７】
下記式（XIII）：
2010215886.tif 000006
〔式（XIII）中、Ｙはハロゲン原子を表し、ｏは上記と同じ意味を有する。〕
で示される化合物と、下記式（XIV）：
2010215886.tif 000007
〔式（XIV）中、Ｘは上記と同じ意味を有する。〕
で示される化合物とを、塩基中で反応させることを含む、下記式（XII）：
2010215886.tif 000008
〔式（XII）中、Ｘ及びｏは上記と同じ意味を有する。〕
で示される化合物の製造方法。
【請求項２８】
下記式（XV）：
2010215886.tif 000009
〔式（XV）中、ｚは１〜１０の整数を表す。Ｘ及びＲ1は前記と同じ意味を有する。〕
で示される化合物。
【請求項２９】
下記式（XVI）：
2010215886.tif 000010
〔式（XVI）中、Ｘ、Ｒ1及びｚは上記と同じ意味を有する。〕
で示される化合物を塩基中で反応させることを含む、下記式（XV）：
2010215886.tif 000011
〔式（XV）中、ｚは１〜１０の整数を表す。Ｘ及びＲ1は前記と同じ意味を有する。〕
で示される化合物の製造方法。